(57)【要約】【課題】駐輪又は駐車施設の運営者に新たな収益源を提供する。【解決手段】商品注文システムは、二輪車又は四輪車を駐輪又は駐車可能とする駐輪又は駐車施設と、駐輪又は駐車施設に設置され、商品を特定する情報を含む商品２次元コードが表示された商品情報表示部と、情報処理装置であって、駐輪又は駐車施設の会員である複数の会員の情報を含むリスト情報を記憶した記憶部にアクセス可能とされ、商品２次元コードに含まれる商品を特定する情報と、駐輪又は駐車施設の会員の１人を特定する会員特定情報と、を含む商品注文情報を受付け、商品注文情報に含まれる会員特定情報によって特定される会員がリスト情報に含まれる会員の１人と一致するか否かを判定する、情報処理装置と、を具備する。【選択図】図１
2014089512.tif 000002
【特許請求の範囲】
【請求項１】
二輪車又は四輪車を駐輪又は駐車可能とする駐輪又は駐車施設と、
前記駐輪又は駐車施設に設置され、商品を特定する情報を含む商品２次元コードが表示された商品情報表示部と、
情報処理装置であって、
前記駐輪又は駐車施設の会員である複数の会員の情報を含むリスト情報を記憶した記憶部にアクセス可能とされ、
前記商品２次元コードに含まれる前記商品を特定する情報と、前記駐輪又は駐車施設の会員の１人を特定する会員特定情報と、を含む商品注文情報を受付け、
前記商品注文情報に含まれる前記会員特定情報によって特定される会員が前記リスト情報に含まれる会員の１人と一致するか否かを判定する、前記情報処理装置と、
を具備する、商品注文システム。
【請求項２】
前記リスト情報は、個々の会員が前記駐輪又は駐車施設を利用可能な残度数を示すデータを含み、
前記情報処理装置は、
１人の会員が前記駐輪又は駐車施設を利用すると、前記リスト情報に含まれる当該会員の前記残度数を減少させ、
１人の会員が前記商品を注文すると、前記リスト情報に含まれる当該会員の前記残度数を増加させる、
請求項１記載の商品注文システム。
【請求項３】
前記駐輪又は駐車施設における二輪車又は四輪車の出入口に設置され、会員が保持する会員ＩＣチップから前記会員特定情報を読取る情報読取り部を含む出入口管理端末をさらに具備し、
前記出入口管理端末は、前記会員ＩＣチップから前記会員特定情報を読取った場合に当該会員特定情報を前記情報処理装置に送信し、
前記情報処理装置は、前記出入口管理端末から受信した前記会員特定情報によって特定される会員が前記リスト情報に含まれる会員の１人と一致するか否かを判定する、
請求項２記載の商品注文システム。
【請求項４】
前記駐輪又は駐車施設に設置され、前記商品を収容可能な複数の収容部を含むロッカーと、
情報入力部を備え、前記情報入力部に入力された情報に基づいて前記ロッカーの各収容部を開錠させるロッカー管理端末と、
をさらに具備し、
前記情報処理装置は、前記ロッカー管理端末に前記会員特定情報を送信し、
前記ロッカー管理端末は、前記会員特定情報を前記複数の収容部のうち１つの収容部に割当て、前記会員特定情報が前記情報入力部に入力された場合に前記１つの収容部を開錠させる、
請求項１〜３のいずれか一項記載の商品注文システム。
【請求項５】
前記情報入力部は、会員が保持する会員ＩＣチップから前記会員特定情報を読取るＩＣカードリーダーを含む、
請求項４記載の商品注文システム。
【請求項６】
商品の選択を受付け、且つ、会員が保持する会員２次元コード又は会員ＩＣチップから前記会員特定情報を読取る情報入力部を含み、前記駐輪又は駐車施設に設置された注文受付端末をさらに具備し、
前記情報処理装置は、
前記注文受付端末が前記情報入力部で選択を受付けた前記商品を特定する情報と、前記注文受付端末が前記情報入力部で読取った前記会員特定情報と、を含む商品注文情報を前記注文受付端末から受付け、
前記商品注文情報に含まれる前記会員特定情報によって特定される会員が前記リスト情報に含まれる会員の１人と一致するか否かを判定し、
どの駐輪施設の注文受付端末から前記商品注文情報を受付けたかによって、前記商品注文情報の注文場所を判定する、
請求項１記載の商品注文システム。
【発明の詳細な説明】
【技術分野】
【０００１】
本発明は、駐輪又は駐車施設を利用した商品注文システムに関する。
【背景技術】
【０００２】
都市における交通渋滞を軽減するために、都市周辺における駅近くの駐輪又は駐車施設に二輪車又は四輪車を預け、鉄道で目的地に向かうことが望ましいとされている。このような駐輪又は駐車施設においては、運営コストを削減し収益性を改善することが大きな課題となっている。本出願人は、下記の特許文献１において、２次元コードリーダーを有するゲート管理装置を駐輪施設に設置することにより、低コストの駐輪施設を実現することを提案した。
【先行技術文献】
【特許文献】
【０００３】
【特許文献１】特許第５００４５００号公報
【発明の概要】
【発明が解決しようとする課題】
【０００４】
本発明は、駐輪又は駐車施設の空間を利用して、駐輪又は駐車施設の会員が商品を注文できるようなシステムを構築し、駐輪又は駐車施設の運営者に新たな収益源を提供することにより、収益性を改善することを課題とする。
【課題を解決するための手段】
【０００５】
上述の課題を解決するため、本発明の１つの観点に係る商品注文システムは、
二輪車又は四輪車を駐輪又は駐車可能とする駐輪又は駐車施設と、
前記駐輪又は駐車施設に設置され、商品を特定する情報を含む商品２次元コードが表示された商品情報表示部と、
情報処理装置であって、
前記駐輪又は駐車施設の会員である複数の会員の情報を含むリスト情報を記憶した記憶部にアクセス可能とされ、
前記商品２次元コードに含まれる前記商品を特定する情報と、前記駐輪又は駐車施設の会員の１人を特定する会員特定情報と、を含む商品注文情報を受付け、
前記商品注文情報に含まれる前記会員特定情報によって特定される会員が前記リスト情報に含まれる会員の１人と一致するか否かを判定する、前記情報処理装置と、
を具備する。
【図面の簡単な説明】
【０００６】
【図１】本発明の実施形態に係る商品注文システムの構成を概略的に示す。
【図２】上記商品注文システムの主要な要素について、さらに詳細な構成を示す。
【図３】上記商品注文システムにおいて商品情報表示部に表示される商品２次元コードの例を示す。
【図４】上記商品注文システムにおける駐輪場会員リスト記憶部のデータの例を示す。
【図５】上記商品注文システムにおける利用履歴データ記憶部のデータの例を示す。
【図６】上記商品注文システムにおける商品注文会員リスト記憶部のデータの例を示す。
【図７】上記商品注文システムにおける注文受付データ記憶部のデータの例を示す。
【図８】上記商品注文システムにおけるロッカー管理データ記憶部のデータの例を示す。
【図９】上記商品注文システムに含まれる駐輪施設の動作を示すシーケンス図である。
【図１０】上記商品注文システムの動作を示すシーケンス図である。
【図１１】上記商品注文システムに含まれる駐輪施設の他の動作を示すシーケンス図である。
【図１２】上記商品注文システムの他の動作を示すシーケンス図である。
【発明を実施するための形態】
【０００７】
以下、本発明の実施形態について詳細に説明する。以下に説明する実施形態は、本発明の１つの例を示すものであって、特許請求の範囲に記載された本発明の内容を不当に限定するものではない。また、実施形態で説明される構成及び動作の全てが本発明の構成及び動作として必須であるとは限らない。また同一の構成要素には同一の参照符号を付して、重複する説明を省略する。
【０００８】
＜１．構成＞
図１は、本発明の実施形態に係る商品注文システムの構成を概略的に示す。図２は、上記商品注文システムの主要な要素について、さらに詳細な構成を示す。図３は、上記商品注文システムにおいて商品情報表示部に表示される商品２次元コードの例を示す。図４〜図８は、上記商品注文システムにおける各記憶部のデータの例を示す。まず、図１及び図２を参照し、適宜図３〜図８を参照しながら、商品注文システムの構成を説明する。
【０００９】
商品注文システムは、駐輪施設１００と、商品情報表示部１２０と、入口管理端末１３０と、出口管理端末１４０と、駐輪場情報処理装置１５０と、注文情報処理装置２００と、ロッカー２３０と、ロッカー管理端末２４０とを具備している。商品注文システムは、さらに、注文受付端末１８０を具備している。注文受付端末１８０については後述する。
【００１０】
＜１−１．駐輪施設１００＞
駐輪施設１００は、仕切り１０１（壁、塀、柵、フェンスなど）を有している。駐輪施設１００は、仕切り１０１の内側に複数の二輪車１１１（自転車又は自動二輪車）をとめられるように構成されている。駐輪施設１００は、屋外でも屋内でもよい。駐輪施設１００には、複数の駐輪ロック装置１０２と、入場ゲート１０３と、退場ゲート１０４とが設置されている。駐輪ロック装置１０２は、二輪車１１１の前輪１１２を固定した状態で施錠できるように構成されている。
【００１１】
入場ゲート１０３及び退場ゲート１０４は、共通のベース１０５上に設置されている。入場ゲート１０３及び退場ゲート１０４の各々は、回転ポール１０６と、複数のバー１０７とを有している。回転ポール１０６は、地面に対してほぼ垂直に配置されている。複数のバー１０７は、地面に対してほぼ平行、かつ、回転ポール１０６に対して放射状の配置となるように、回転ポール１０６に対して固定されている。
【００１２】
入場ゲート１０３は、回転ポール１０６を中心に図１に示す矢印θ１方向に回転し、あるいは、ベース１０５内に設けられた入場ゲートロック機構１１３（図２参照）によって回転を阻止されるようになっている。退場ゲート１０４は、回転ポール１０６を中心に図１に示す矢印θ２方向に回転し、あるいは、ベース１０５内に設けられた退場ゲートロック機構１１４（図２参照）によって回転を阻止されるようになっている。なお、入場ゲート１０３に含まれる複数のバー１０７と、退場ゲート１０４に含まれる複数のバー１０７とは、地面からの高さ（図示せず）が異なっている。このため、入場ゲート１０３及び退場ゲート１０４は互いの回転を妨げずに別々に回転できる。
【００１３】
仕切り１０１には、入場ゲート１０３及び退場ゲート１０４が設けられた位置とは別の位置に、入退場口１０８が形成されている。入退場口１０８の付近には、障害ポール１０９が設置されている。障害ポール１０９が設置されているので、二輪車１１１は、入退場口１０８を通れないが、駐輪施設の会員１１０は、二輪車１１１を伴わずに、入退場口１０８を通って仕切り１０１の内外に出入りすることができる。なお、会員１１０は、駐輪施設１００だけでなく、複数の駐輪施設（図示せず）のいずれにも二輪車１１１をとめる資格を有してもよい。このような複数の駐輪施設のそれぞれが、駐輪施設１００と同様の構成を有していてもよい。
【００１４】
＜１−２．商品情報表示部１２０＞
商品情報表示部１２０は、仕切り１０１に、地面に対してほぼ垂直に固定されている。商品情報表示部１２０には、購入可能な商品のイラスト１２１と、商品説明１２２と、商品２次元コード１２３とが表示されている。商品情報表示部１２０は、これらのイラスト１２１、商品説明１２２及び商品２次元コード１２３が印刷されたシート又は板でもよく、データの入力や送受信などの処理機能を有しなくてもよい。商品情報表示部１２０は、照明ランプ（図示せず）を含むことにより、商品情報表示部１２０の美観を向上させるとともに、駐輪施設１００のための夜間照明を兼ねてもよい。
【００１５】
商品２次元コード１２３は、文字情報が白黒のパターンにコード化されたものである（図３参照）。商品２次元コード１２３は、商品を特定する情報を含む他、注文場所を特定する情報などを含んでもよい。商品２次元コード１２３に含まれる情報の詳細については後述する。
【００１６】
商品２次元コード１２３に含まれる情報は、駐輪施設の会員１１０が保持する携帯電話器などの会員携帯端末３００によって読取られることができる。具体的には、携帯電話器などが有している撮像機能及びデコード機能により、商品２次元コード１２３を文字情報に変換することができる。
【００１７】
会員携帯端末３００は、注文内容の情報（商品２次元コード１２３から読取った商品を特定する情報、注文場所を特定する情報の他、届け先を特定する情報など）と、駐輪施設の会員１１０を特定する会員特定情報（例えば、会員ＩＤ）とを、基地局システム３１０を介して、注文情報処理装置２００に送信することができる。
【００１８】
＜１−３．入口管理端末１３０及び出口管理端末１４０＞
入口管理端末１３０は、送受信部１３１及び制御部１３４を有するコンピュータ装置である（図２参照）。入口管理端末１３０は、さらに、２次元コードリーダー１３２及びＩＣチップリーダー１３３などの情報読取り部を有している。
【００１９】
出口管理端末１４０は、送受信部１４１及び制御部１４４を有するコンピュータ装置である（図２参照）。出口管理端末１４０は、さらに、２次元コードリーダー１４２及びＩＣチップリーダー１４３などの情報読取り部を有している。
【００２０】
２次元コードリーダー１３２及び１４２は、いずれも、撮像機能及びデコード機能を有し、駐輪施設の会員１１０が保持する会員２次元コード（後述）を文字情報に変換することにより情報を読取ることができる。ＩＣチップリーダー１３３及び１４３は、いずれも、電波の送受信機能、変調機能及び復調機能を有し、駐輪施設の会員１１０が保持する会員ＩＣチップ（後述）から非接触で情報を読取ることができる。入口管理端末１３０及び出口管理端末１４０の各々は、情報読取り部として、２次元コードリーダー及びＩＣチップリーダーの両方を有してもよいし、２次元コードリーダー及びＩＣチップリーダーのいずれか１つのみを有してもよい。
【００２１】
２次元コードリーダー１３２及び１４２によって情報を読取られる会員２次元コードは、駐輪施設の会員１１０を特定する会員ＩＤの情報を含んでいる。この会員２次元コードは、例えば、会員携帯端末３００に記憶され、会員携帯端末３００の表示画面に表示されたものである。あるいは、会員２次元コードは、駐輪施設の会員１１０が保持する会員カード（図示せず）に印刷されたものでもよい。
【００２２】
ＩＣチップリーダー１３３及び１４３によって情報を読取られる会員ＩＣチップは、駐輪施設の会員１１０を特定する会員ＩＤの情報を含んでいる。この会員ＩＣチップは、例えば、駐輪施設の会員１１０が保持する会員カード（図示せず）に搭載されたＩＣチップである。あるいは、会員ＩＣチップは、会員携帯端末３００に搭載されたＩＣチップであってもよい。
【００２３】
入口管理端末１３０の送受信部１３１及び出口管理端末１４０の送受信部１４１の各々は、ネットワークを介して駐輪場情報処理装置１５０の送受信部１５１に接続されている。入口管理端末１３０及び出口管理端末１４０の各々は、会員２次元コード又は会員ＩＣチップの情報を読取った場合に、その情報を駐輪場情報処理装置１５０に送信するように構成されている。
【００２４】
入口管理端末１３０の制御部１３４は、信号線によって入場ゲートロック機構１１３に接続されている。入口管理端末１３０は、駐輪場情報処理装置１５０から会員ＩＤの照合結果などの情報を受信し、その情報に基づいて、入場ゲートロック機構１１３を制御できるように構成されている。
【００２５】
出口管理端末１４０の制御部１４４は、信号線によって退場ゲートロック機構１１４に接続されている。出口管理端末１４０は、駐輪場情報処理装置１５０から会員ＩＤの照合結果などの情報を受信し、その情報に基づいて、退場ゲートロック機構１１４を制御できるように構成されている。
【００２６】
入口管理端末１３０の制御部１３４は、信号線によって複数の駐輪ロック装置１０２に接続されていてもよい。入口管理端末１３０は、駐輪ロック装置１０２の各々から、施錠又は解錠の状態を示す信号を受信してもよい。あるいは、入口管理端末１３０は、駐輪ロック装置１０２の各々の施錠及び解錠を制御してもよい。出口管理端末１４０の制御部１４４は、信号線によって複数の駐輪ロック装置１０２に接続されていてもよい。出口管理端末１４０は、駐輪ロック装置１０２の各々から、施錠又は解錠の状態を示す信号を受信してもよい。
【００２７】
＜１−４．駐輪場情報処理装置１５０＞
駐輪場情報処理装置１５０は、送受信部１５１及び情報処理部１５２を有するコンピュータ装置である（図２参照）。駐輪場情報処理装置１５０の情報処理部１５２は、駐輪場会員リスト記憶部１６０及び利用履歴データ記憶部１７０にアクセス可能に構成されている。
【００２８】
駐輪場情報処理装置１５０は、入口管理端末１３０から会員ＩＤの情報を受信し、この情報と駐輪場会員リスト記憶部１６０の情報とを照合し、照合結果を入口管理端末１３０に送信するように構成されている。また、駐輪場情報処理装置１５０は、出口管理端末１４０から会員ＩＤの情報を受信し、この情報と駐輪場会員リスト記憶部１６０の情報とを照合し、照合結果を出口管理端末１４０に送信するように構成されている。
【００２９】
図４に、駐輪場会員リストの例を示す。駐輪場会員リスト記憶部１６０に記憶された駐輪場会員リストにおいては、駐輪場の会員ごとに、会員ＩＤ１６１、氏名１６２、住所１６３、駐輪場残度数１６４、携帯電話メールアドレス１６５、暗証番号１６６などの情報が対応付けられている。
【００３０】
図１及び図２を再び参照し、駐輪場情報処理装置１５０は、入口管理端末１３０から受信した情報及び出口管理端末１４０から受信した情報に基づいて、それぞれ、駐輪施設１００の利用履歴データを会員ごとに作成し、利用履歴データ記憶部１７０に記憶させるように構成されている。
【００３１】
図５に、利用履歴データの例を示す。利用履歴データ記憶部１７０に記憶された利用履歴データは、駐輪場の会員ごとに作成されたデータブロックを含んでいる。個々のデータブロックにおいては、駐輪場への入退場ごとに、入場日時１７１、駐輪位置１７２、退場日時１７３などの情報が対応付けられている。
【００３２】
図１及び図２を再び参照し、駐輪場情報処理装置１５０の送受信部は、ネットワークを介して注文情報処理装置２００の送受信部２０１に接続されている。駐輪場情報処理装置１５０は、必要に応じて、駐輪場会員リスト記憶部１６０の情報や利用履歴データ記憶部１７０の情報を、注文情報処理装置２００に送信してもよい。
【００３３】
＜１−５．注文情報処理装置２００＞
注文情報処理装置２００は、送受信部２０１及び情報処理部２０２を有するコンピュータ装置である（図２参照）。注文情報処理装置２００の情報処理部２０２は、商品注文会員リスト記憶部２１０及び注文受付データ記憶部２２０にアクセス可能に構成されている。
【００３４】
注文情報処理装置２００は、注文内容の情報と会員を特定する会員特定情報とを会員携帯端末３００から受信するように構成されている。注文情報処理装置２００は、会員携帯端末３００から受信した会員特定情報と、商品注文会員リスト記憶部２１０の情報とに基づいて、注文を受付けるか否かを判定するように構成されている。
【００３５】
図６に、商品注文会員リストの例を示す。商品注文会員リスト記憶部２１０に記憶された商品注文会員リストにおいては、会員ごとに、会員ＩＤ２１１、氏名２１２、住所２１３、注文可能ポイント２１４、携帯電話メールアドレス２１５、暗証番号２１６などの情報が対応付けられている。本発明の実施形態に係る商品注文システムを用いて商品を注文できるのは、駐輪施設の会員に限定されてもよい。商品注文会員リストに含まれる情報の多くは、駐輪場会員リスト（図４参照）に含まれる情報と共通であってもよい。
【００３６】
図１及び図２を再び参照し、注文情報処理装置２００は、注文を受付けると判定した場合には、当該注文を識別するための注文ＩＤを生成するとともに、会員携帯端末３００から受信した注文内容の情報に基づいて、注文受付データを作成するように構成されている。注文情報処理装置２００は、作成した注文受付データを、注文受付データ記憶部２２０に記憶させるように構成されている。
【００３７】
図７に、注文受付データの例を示す。注文受付データ記憶部２２０に記憶された注文受付データにおいては、注文ごとに、注文ＩＤ２２１、注文日時２２２、注文された商品２２３、注文場所２２４、届け先２２５、注文者の会員ＩＤ２２６などの情報が対応付けられている。商品２２３、注文場所２２４及び届け先２２５のデータは、会員携帯端末３００から送信された注文内容の情報から作成される。届け先は、例えば、駐輪施設１００に設置されたロッカー２３０、駐輪施設１００にとめられた二輪車１１１の駐輪位置、商品を注文する会員１１０の自宅の住所などとされることができる。
【００３８】
図１及び図２を再び参照し、注文情報処理装置２００の送受信部２０１は、ネットワークを介してロッカー管理端末２４０の受信部２４１に接続されている。注文情報処理装置２００は、ロッカー管理端末２４０にロッカーの開条件（後述）を送信するように構成されている。
【００３９】
注文情報処理装置２００の送受信部２０１は、ネットワークを介して配送管理装置４００（図１参照）に接続されている。注文情報処理装置２００は、配送管理装置４００に、商品の伝票情報を送信するように構成されている。配送管理装置４００は、商品を倉庫から取り出して配送する配送センターに設けられたコンピュータ装置であり、伝票を印刷するためのプリンター４１０に接続されている。プリンター４１０は、配送管理装置４００が受信した伝票情報に基づいた伝票を印刷する。伝票には、注文内容の情報と、注文ＩＤの情報とが含まれている。
【００４０】
＜１−６．ロッカー２３０及びロッカー管理端末２４０＞
ロッカー２３０は、仕切り１０１の外側に、仕切り１０１の近隣に設置されていてもよいし、仕切り１０１の内側に設置されていてもよい。いずれにしても、ロッカー２３０は、駐輪施設１００に設置されている。ロッカー２３０は、商品を収容可能な複数の収容部（ロッカーＮｏ．０１〜０８）を含んでいる。ロッカー２３０に含まれる複数の収容部は、それぞれ収容部ロック機構２３１（図２参照）によって施錠可能である。例えば、ロッカーＮｏ．０１〜０４に相当する収容部は温調設備（冷蔵設備又は加温設備）を備え、ロッカーＮｏ．０５〜０８に相当する収容部は常温保存用であってもよい。
【００４１】
ロッカー管理端末２４０は、受信部２４１及び制御部２４４を有するコンピュータ装置である（図２参照）。ロッカー管理端末２４０は、さらに、２次元コードリーダー２４２及びＩＣチップリーダー２４３などの情報入力部を有している。
【００４２】
２次元コードリーダー２４２及びＩＣチップリーダー２４３の構成は、２次元コードリーダー１３２及びＩＣチップリーダー１３３の構成と同様である。ロッカー管理端末２４０は、情報入力部として、２次元コードリーダー２４２とＩＣチップリーダー２４３の両方を有してもよいし、２次元コードリーダー２４２のみを有してもよい。
【００４３】
ロッカー管理端末２４０は、注文情報処理装置２００から、ロッカーの開条件を受信するように構成されている。ロッカー管理端末２４０の制御部２４４は、ロッカー管理データ記憶部２５０にアクセス可能に構成されている。ロッカー管理端末２４０は、注文情報処理装置２００からロッカーの開条件を受信した場合に、ロッカー管理データを作成し、ロッカー管理データ記憶部２５０に記憶させるように構成されている。
【００４４】
図８に、ロッカー管理データの例を示す。ロッカー管理データ記憶部２５０に記憶されたロッカー管理データにおいては、ロッカー２３０の収容部ごとに、ロッカーＮｏ．２５１、状態２５２、注文ＩＤ２５３、会員ＩＤ２５４などの情報が対応付けられている。注文ＩＤ２５３及び会員ＩＤ２５４は、ロッカーの開条件として記憶される。
【００４５】
図１及び図２を再び参照し、ロッカー管理端末２４０の制御部２４４は、信号線によって、ロッカー２３０の複数の収容部ロック機構２３１に接続されている。ロッカー管理端末２４０は、収容部ロック機構２３１を制御することにより、ロッカー２３０の複数の収容部をそれぞれ解錠及び施錠することができる。例えば、２次元コードリーダー２４２又はＩＣチップリーダー２４３において読取られた情報が、ロッカー管理データ記憶部２５０に記憶されたロッカーの開条件を満たす場合に、ロッカー管理端末２４０は、ロッカー２３０の該当する収容部の収容部ロック機構２３１を解錠するように構成されている。
【００４６】
＜２．駐輪施設の動作例＞
図９は、上記商品注文システムに含まれる駐輪施設の動作を示すシーケンス図である。まず、図９の流れに沿って、適宜図４及び図５を参照しながら、駐輪施設の処理を説明する。
【００４７】
＜２−１．駐輪施設への入場＞
駐輪施設の会員１１０は、以下のようにして、駐輪施設１００に二輪車１１１をとめることができる。まず、駐輪施設の会員１１０は、会員ＩＤの情報を含む会員２次元コードが会員携帯端末３００に記憶されている場合には、当該会員２次元コードを会員携帯端末３００の表示部に表示させる（Ｓ１００）。会員２次元コードが会員カード（図示せず）に印刷されている場合には、Ｓ１００をスキップしてもよい。
【００４８】
次に、駐輪施設の会員１１０は、入口管理端末１３０の２次元コードリーダー１３２に、会員ＩＤの情報を含む会員２次元コードをスキャンさせる（Ｓ１０２）。入口管理端末１３０は、会員２次元コードに含まれる会員ＩＤの情報を読取る（Ｓ１０４）。入口管理端末１３０は、読取った会員ＩＤの情報を、駐輪場情報処理装置１５０に送信する（Ｓ１０６）。
【００４９】
駐輪場情報処理装置１５０は、入口管理端末１３０から会員ＩＤの情報を受信し、駐輪場会員リスト（図４参照）の会員ＩＤと照合する（Ｓ１０８）。駐輪場情報処理装置１５０は、さらに、入口管理端末１３０から受信した会員ＩＤに相当する会員が、駐輪施設１００に駐輪するための諸条件を満たしているか否かを判定してもよい。例えば、当該会員の駐輪場残度数１６４の値が、１以上であるか否かを判定してもよい。また例えば、暗証番号１６６に一致する番号が、入口管理端末１３０のテンキー（図示せず）に別途入力されたか否かを判定してもよい。
【００５０】
駐輪場情報処理装置１５０は、入口管理端末１３０から受信した会員ＩＤが、駐輪場会員リストの会員ＩＤの１つと一致する場合に、あるいは、駐輪施設１００に駐輪するための上記諸条件が要求される場合には、上記諸条件がさらに満たされている場合に、入口管理端末１３０に照合ＯＫの情報を送信する（Ｓ１１０）。
【００５１】
入口管理端末１３０は、駐輪場情報処理装置１５０から照合ＯＫの情報を受信した場合に、入場ゲートロック機構１１３を制御することにより、入場ゲート１０３を回転可能とする（Ｓ１１２）。これにより、駐輪施設の会員１１０は、二輪車１１１とともに、仕切り１０１の内側に入場することができる。入場ゲート１０３が所定角度だけ回転した後、入口管理端末１３０は、入場ゲートロック機構１１３を制御することにより、入場ゲート１０３をロックする。会員１１０は、複数の駐輪ロック装置１０２（Ａ〜Ｇ）のいずれかを選んで二輪車１１１をロックさせた後、入退場口１０８を通って仕切り１０１の内外に出入りすることができる。
【００５２】
駐輪場情報処理装置１５０は、入口管理端末１３０に照合ＯＫの情報を送信した後、上述の会員ＩＤによって特定される会員について、駐輪施設１００の利用履歴データ（図５参照）を作成し、利用履歴データ記憶部１７０に記憶させる（Ｓ１１４）。駐輪施設１００に二輪車１１１がとめられている場合の利用履歴データは、入場日時１７１の情報と、駐輪位置１７２の情報とを含むことができる。駐輪位置１７２の情報は、駐輪施設１００を特定する情報（「第１駐輪場」「第２駐輪場」など）を含む他、駐輪施設内の駐輪ロック装置１０２を特定する情報（「Ａ」「Ｅ」など）を含んでもよい。駐輪施設１００を特定する情報は、複数の駐車施設（図示せず）のうち、どの駐輪施設の入口管理端末１３０から会員ＩＤを受信したかによって、駐輪場情報処理装置１５０が判定してもよい。駐輪ロック装置１０２を特定する情報は、例えば、会員１１０が駐輪施設１００に入場した後、複数の駐輪ロック装置１０２（Ａ〜Ｇ）のいずれかを選んで二輪車１１１をロックさせた時点で、入口管理端末１３０を介して駐輪場情報処理装置１５０が受信するようにしてもよい。入場日時１７１は、入口管理端末１３０から会員ＩＤを受信した日時でもよいし、駐輪位置の情報を受信した日時でもよい。
【００５３】
＜２−２．駐輪施設からの退場＞
駐輪施設の会員１１０は、以下のようにして、駐輪施設１００にとめてあった二輪車１１１を持ち出すことができる。まず、駐輪施設の会員１１０は、自分の二輪車１１１をロックしてある駐輪ロック装置１０２を解錠させた後、会員ＩＤの情報を含む会員２次元コードを会員携帯端末３００の表示部に表示させる（Ｓ１２０）。会員２次元コードが会員カード（図示せず）に印刷されている場合には、Ｓ１２０をスキップしてもよい。
【００５４】
次に、駐輪施設の会員１１０は、出口管理端末１４０の２次元コードリーダー１４２に、会員ＩＤの情報を含む会員２次元コードをスキャンさせる（Ｓ１２２）。出口管理端末１４０は、会員２次元コードに含まれる会員ＩＤの情報を読取る（Ｓ１２４）。出口管理端末１４０は、読取った会員ＩＤの情報を、駐輪場情報処理装置１５０に送信する（Ｓ１２６）。
【００５５】
駐輪場情報処理装置１５０は、出口管理端末１４０から会員ＩＤの情報を受信し、駐輪場会員リストの会員ＩＤと照合する（Ｓ１２８）。駐輪場情報処理装置１５０は、さらに、出口管理端末１４０から受信した会員ＩＤに相当する会員が、駐輪施設１００から二輪車１１１を持ち出すための諸条件を満たしているか否かを判定してもよい。例えば、当該会員の駐輪場残度数１６４の値が、今回の駐輪時間に応じて減算された場合に０以上となるか否かを判定してもよい。また例えば、暗証番号１６６に一致する番号が、出口管理端末１４０のテンキー（図示せず）に別途入力されたか否かを判定してもよい。
【００５６】
駐輪場情報処理装置１５０は、出口管理端末１４０から受信した会員ＩＤが、駐輪場会員リストの会員ＩＤの１つと一致する場合に、あるいは、駐輪施設１００から二輪車１１１を持ち出すための上記諸条件が要求される場合には、上記諸条件がさらに満たされている場合に、出口管理端末１４０に照合ＯＫの情報を送信する（Ｓ１３０）。
【００５７】
出口管理端末１４０は、駐輪場情報処理装置１５０から照合ＯＫの情報を受信した場合に、退場ゲートロック機構１１４を制御することにより、退場ゲート１０４を回転可能とする（Ｓ１３２）。これにより、駐輪施設の会員１１０は、二輪車１１１とともに、仕切り１０１の外側に退場することができる。退場ゲート１０４が所定角度だけ回転した後、出口管理端末１４０は、退場ゲートロック機構１１４を制御することにより、退場ゲート１０４をロックする。
【００５８】
駐輪場情報処理装置１５０は、出口管理端末１４０に照合ＯＫの情報を送信した後、上述の会員ＩＤによって特定される会員について、駐輪施設１００の利用履歴データとして退場日時１７３の情報を追加し、利用履歴データ記憶部１７０に記憶させる（Ｓ１３４）。退場日時１７３は、出口管理端末１４０から会員ＩＤを受信した日時とすることができる。さらに、駐輪場情報処理装置１５０は、当該会員の駐輪場残度数１６４から、今回の利用に応じた度数を減算し、駐輪場会員リスト記憶部１６０のデータを更新する（Ｓ１３６）。
【００５９】
＜３．商品注文システムの動作例＞
図１０は、上記商品注文システムの動作を示すシーケンス図である。以下、図１０の流れに沿って、適宜図３及び図６〜図８を参照しながら、商品注文システムの処理を説明する。
【００６０】
＜３−１．商品の注文＞
駐輪施設の会員１１０は、以下のようにして、商品を注文することができる。まず、駐輪施設の会員１１０は、商品情報表示部１２０に表示された商品２次元コード１２３を、会員携帯端末３００を用いて読取る（Ｓ２００）。
【００６１】
商品２次元コード１２３には、商品を特定する情報が含まれている。従って、読取った情報が、会員携帯端末３００から注文情報処理装置２００に送信されれば、注文情報処理装置２００は、どの商品が注文されたかを特定できる。
【００６２】
また、商品２次元コード１２３には、商品を特定する情報をどこに送信すればよいかを特定するための情報（注文情報処理装置２００への宛先の情報）が含まれているのが望ましい。これにより、駐輪施設の会員１１０は、商品２次元コード１２３から読取った情報に基づいて、適切な宛先に注文内容の情報を送信することができる。そのような商品２次元コード１２３の例について、図３を参照しながら以下に説明する。
【００６３】
図３（Ａ）は、商品情報表示部に表示される商品２次元コードの第１の例を示す。図３（Ａ）に示される商品２次元コード１２３には、注文情報処理装置２００に搭載されたＷＥＢサーバー（図示せず）によって提供される複数のＷＥＢページのうち、特定の商品についての注文専用のＷＥＢページにリンクしたＵＲＬの情報が含まれている。
【００６４】
商品２次元コード１２３には、さらに、注文場所（駐輪施設１００）を特定する情報が含まれているのが望ましい。この場合には、読取った情報が、会員携帯端末３００から注文情報処理装置２００に送信されれば、注文情報処理装置２００は、どの商品が、どこの駐輪施設から注文されたかを特定できる。従って、上記のＵＲＬは、特定の商品についての、特定の駐輪施設からの注文専用のＷＥＢページを指定したＵＲＬであることが望ましい。そのようなＵＲＬにより、商品と注文場所（駐輪施設１００）とが特定される。
【００６５】
図３（Ａ）に示される商品２次元コード１２３を携帯電話器で読取ると、携帯電話器の表示部に「ｈｔｔｐ：／／ｏｒｄｅｒ．ｃｏ．ｊｐ／ｍｕｇｉ／ｄａｉ１／」のようなＵＲＬが表示される。上記ＵＲＬによって指定されるＷＥＢページを、例えば、特定の商品「麦茶」についての、特定の注文場所「第１駐輪場」からの注文専用のＷＥＢページにしておけば、駐輪施設の会員１１０は、上記ＵＲＬをクリックして、上記ＷＥＢページにアクセスすることにより、商品及び注文場所を特定した状態で、商品を注文することができる。
【００６６】
また、上記ＷＥＢページに、会員を特定する会員特定情報（会員ＩＤなど）の入力欄を設けておき、この入力欄への入力を注文の条件の１つとしておけば、注文情報処理装置２００は、注文者の会員ＩＤなどを特定することができる。また、上記ＷＥＢページに、届け先の入力欄をさらに設けておき、この入力欄への入力を注文の条件の１つとしておけば、注文情報処理装置２００は、希望の届け先をさらに特定することができる。商品２次元コード１２３に、注文場所（駐輪施設１００）を特定する情報が含まれていない場合には、上記ＷＥＢページに、注文場所の入力欄をさらに設けておき、この入力欄への入力を注文の条件の１つとしてもよい。
【００６７】
図３（Ｂ）は、商品情報表示部に表示される商品２次元コードの第２の例を示す。図３（Ｂ）に示される商品２次元コード１２３には、会員携帯端末３００から送信される電子メールを、注文情報処理装置２００に接続された受信メールサーバー（図示せず）に受信させるための、宛先メールアドレスの情報が含まれている。
【００６８】
図３（Ｂ）に示される商品２次元コード１２３には、さらに、商品を特定する情報と、注文場所（駐輪施設１００）を特定する情報とが含まれている。図３（Ｂ）に示される商品２次元コード１２３を携帯電話器で読取ると、携帯電話器の表示部に「ｄｕｍｍｙ＠ｏｒｄｅｒ．ｃｏ．ｊｐ」のようなメールアドレスと、件名「麦茶」、本文「第１駐輪場」のような文字列とが表示される。駐輪施設の会員１１０は、上記メールアドレスをクリックすることにより、件名「麦茶」、本文「第１駐輪場」のような文字列を含む電子メールを上記メールアドレスあてに送信することができる。
【００６９】
このような電子メールが、会員携帯端末３００から送信されれば、注文情報処理装置２００は、どの商品が、どこの駐輪施設から注文されたかを特定できる。また、電子メールには送信元の電子メールアドレスの情報が含まれる。送信元の電子メールアドレスの情報と、商品注文会員リスト記憶部２１０（図６参照）の携帯電話メールアドレス２１５の情報とに基づいて、注文情報処理装置２００は、商品を注文した会員の会員ＩＤを特定することができる。このように、注文情報処理装置２００は、送信元の電子メールアドレスの情報を、会員を特定する会員特定情報として扱うことができる。
【００７０】
図１０を再び参照し、駐輪施設の会員１１０は、商品２次元コード１２３から読取った情報を含む注文内容の情報（商品を特定する情報など）と、当該会員の会員特定情報（例えば会員ＩＤの情報）とを、会員携帯端末３００から注文情報処理装置２００に送信する（Ｓ２０２）。駐輪施設の会員１１０は、以上のようにして、商品を注文することができる。
【００７１】
＜３−２．取引の処理＞
注文内容の情報と会員特定情報とを商品注文情報として受信した注文情報処理装置２００は、以下のようにして、商品注文情報に従った商品取引の処理を実行することができる。まず、注文情報処理装置２００は、会員携帯端末３００から受信した情報に基づいて会員ＩＤを特定する。そして、注文情報処理装置２００は、特定された会員ＩＤを、商品注文会員リスト（図６参照）の会員ＩＤと照合する（Ｓ２０４）。注文情報処理装置２００は、さらに、特定された会員ＩＤに相当する会員が、商品を注文するための諸条件を満たしているか否かを判定してもよい。例えば、当該会員の注文可能ポイント２１４の値が、今回の注文に基づいて減算された場合に０以上となるか否かを判定してもよい。また例えば、暗証番号２１６に一致する番号が、会員携帯端末３００から送信されてきたか否かを判定してもよい。
【００７２】
注文情報処理装置２００は、特定された会員ＩＤが、商品注文会員リストの会員ＩＤの１つと一致する場合に、あるいは、商品を注文するための上記諸条件が要求される場合には、上記諸条件がさらに満たされている場合に、注文ＩＤを含む注文受付データ（図７参照）を生成し、注文受付データ記憶部２２０に記憶させる（Ｓ２０６）。
【００７３】
注文受付データが届け先２２５の情報を含んでおり、この届け先２２５として、ロッカー２３０が指定されている場合、注文情報処理装置２００は、ロッカー管理端末２４０に、ロッカーの開条件のデータを送信してもよい（Ｓ２０８）。ロッカーの開条件には、注文ＩＤと会員ＩＤとがある。ロッカーの開条件を受信したロッカー管理端末２４０の処理については、後述する。
【００７４】
注文情報処理装置２００は、配送管理装置４００に、注文内容の情報と注文ＩＤの情報とを含む伝票データを送信する（Ｓ２１０）。伝票データを受信した配送管理装置４００の処理については、後述する。
【００７５】
注文情報処理装置２００は、当該会員の注文可能ポイント２１４（図６参照）から、注文された商品の販売価格に相当するポイントを減算し、商品注文会員リスト記憶部２１０のデータを更新する（Ｓ２１２）。また、注文情報処理装置２００は、注文に対する特典として、当該会員の駐輪場残度数１６４（図４参照）に加算すべき加算度数を算出してもよい（Ｓ２１４）。注文情報処理装置２００は、この加算度数を、駐輪場情報処理装置１５０に送信してもよい。駐輪場情報処理装置１５０は、この加算度数に基づいて、駐輪場会員リスト記憶部１６０のデータを更新してもよい。
【００７６】
＜３−３．配送管理装置の処理＞
注文情報処理装置２００から伝票データを受信した配送管理装置４００は、伝票データに基づいた伝票を、プリンター４１０に印刷させてもよい（Ｓ２１６）。この伝票には、注文内容の情報と、注文ＩＤの情報をコード化した伝票２次元コードと、が印刷されていてもよい。
【００７７】
配送管理装置４００が設置された配送センターにおいては、伝票データに基づいて、商品を倉庫から取り出し、届け先の地域ごとに仕分けして、トラック４２０（図１参照）などに積み込む作業が行われる。商品には、印刷された伝票が添付される。
【００７８】
＜３−４．ロッカー管理端末の処理＞
ロッカー管理端末２４０は、以下のようにして、収容部ロック機構２３１を制御してもよい。まず、ロッカー管理端末２４０は、注文情報処理装置２００からロッカーの開条件のデータを受信した場合に、そのロッカーの開条件を、いずれかのロッカーＮｏ．に割当てる（Ｓ２１８）。そして、ロッカー管理端末２４０は、当該ロッカーの開条件が割当てられたロッカーＮｏ．（以下、「該当ロッカーＮｏ．」）について、ロッカー管理データ記憶部２５０のロッカー管理データを更新する（Ｓ２２０）。
【００７９】
図８に示されるように、ロッカーの開条件が割当てられていないロッカーＮｏ．０３については、開条件は記録されていない。ロッカーＮｏ．０２のように、ロッカーの開条件が割当てられると、開条件として、注文ＩＤ２５３と会員ＩＤ２５４とが記録される。
【００８０】
商品を配送する配送業者がロッカー２３０の設置場所に到着すると、配送業者は、商品に添付された伝票２次元コードを、２次元コードリーダー２４２にスキャンさせることにより、注文ＩＤを入力する。ロッカー管理端末２４０は、入力された注文ＩＤを、ロッカー管理データの開条件と照合し、この開条件が割当てられた該当ロッカーＮｏ．について、収容部ロック機構２３１を解錠させる（Ｓ２２２）。これにより、配送業者は、該当ロッカーＮｏ．の収容部の扉を開けて、収容部内に商品を収容させることができる。
【００８１】
配送業者が収容部の扉を閉めると、ロッカー管理端末２４０は、該当ロッカーＮｏ．について、収容部ロック機構２３１を施錠させる。このとき、ロッカー管理端末２４０は、図８におけるロッカーＮｏ．０１のように、ロッカー管理データにおける状態２５２を「有」に書き換え、さらに、開条件としての注文ＩＤ２５３のデータを消去する。これにより、その後仮に注文ＩＤが入力されても、状態２５２が「有」であるロッカーＮｏ．の収容部ロック機構２３１は、解錠されない。
【００８２】
注文した商品を取りに来た会員１１０は、会員ＩＤの情報を含む会員２次元コードが会員携帯端末３００に記憶されている場合には、当該会員２次元コードを会員携帯端末３００の表示部に表示させる（Ｓ２２４）。会員１１０は、会員ＩＤの情報を含む会員２次元コードを２次元コードリーダー２４２にスキャンさせることにより、会員ＩＤを入力する。ロッカー管理端末２４０は、入力された会員ＩＤを、ロッカー管理データの開条件と照合し、この開条件が割当てられた該当ロッカーＮｏ．について、収容部ロック機構２３１を解錠させる（Ｓ２２６）。これにより、会員１１０は、該当ロッカーＮｏ．の収容部の扉を開けて、収容部内の商品を受取ることができる。
【００８３】
会員１１０が収容部の扉を閉めると、ロッカー管理端末２４０は、該当ロッカーＮｏ．について、収容部ロック機構２３１を施錠させる。このとき、ロッカー管理端末２４０は、図８におけるロッカーＮｏ．０３のように、ロッカー管理データにおける状態２５２を「無」に書き換え、さらに、開条件としての会員ＩＤ２５４のデータを消去する。これにより、その後該当ロッカーＮｏ．の収容部は、他の注文のための収容部として、Ｓ２１８で述べられたように新たな開条件を割当てられることができる。
【００８４】
＜３−５．効果＞
会員１１０は、駐輪施設１００に設けられた商品情報表示部１２０を用いて商品を注文し、当該駐輪施設１００に設けられたロッカー２３０で商品を受取ることができる。従って、例えば、駐輪施設に二輪車を預ける時に商品を注文し、用事が終わって二輪車を取り出す時までに商品が配送されていれば、二輪車で帰宅するついでに商品を受取ることができる。従って、商品を販売している店舗まで出向くことによる時間の損失を低減することができる。また、商品を持ち帰るために、当該駐輪施設にとめてあった二輪車を使えるので、商品を運ぶ労力を低減することができる。さらに、配送業者にとっても、各会員の自宅に配送し、各会員と対面して商品を引き渡す場合と異なり、複数の会員から注文された商品をまとめて１つの駐輪施設に配送すればよく、引き渡しの時に会員が在宅している必要もないので、配送の労力が低減される。また、商品の注文を１個単位ではなく１ダース単位などのまとまった量でのみ受け付けるようにすれば、売上金額あたりの配送コストが低減される。以上のようなメリットによって、無人店舗の利用促進が図られ、収益性が向上する。
【００８５】
＜４．他の動作例１＞
図１１は、上記商品注文システムに含まれる駐輪施設の他の動作を示すシーケンス図である。図１１に示される処理は、入口管理端末１３０及び出口管理端末１４０が、会員２次元コードから情報を読取るのではなく、会員ＩＣチップから情報を読取る点で、図９に示された処理と異なる。
【００８６】
具体的には、駐輪施設の会員１１０は、図９のＳ１００及びＳ１０２の代わりに、入口管理端末１３０のＩＣチップリーダー１３３に、会員ＩＤの情報を含む会員ＩＣチップをスキャンさせる（Ｓ１０３）。入口管理端末１３０は、図９のＳ１０４の代わりに、会員ＩＣチップに含まれる会員ＩＤの情報を読取る（Ｓ１０５）。
【００８７】
また、駐輪施設の会員１１０は、図９のＳ１２０及びＳ１２２の代わりに、出口管理端末１４０のＩＣチップリーダー１４３に、会員ＩＤの情報を含む会員ＩＣチップをスキャンさせる（Ｓ１２３）。出口管理端末１４０は、図９のＳ１２４の代わりに、会員ＩＣチップに含まれる会員ＩＤの情報を読取る（Ｓ１２５）。
他の点については、図９に示された処理と同様である。
【００８８】
このように、会員ＩＤの情報は、会員２次元コードに限らず会員ＩＣチップをスキャンさせることによっても、読取り可能である。同様に、図１０に示されるＳ２２４及びＳ２２６の代わりに、ロッカー管理端末２４０のＩＣチップリーダー２４３に会員ＩＣチップをスキャンさせることにより、会員ＩＤが入力されてもよい。
【００８９】
＜５．他の動作例２＞
図１２は、上記商品注文システムの他の動作を示すシーケンス図である。図１２に示される処理は、会員携帯端末３００が商品情報表示部１２０の商品２次元コード１２３を読取るのではなく、注文受付端末１８０が注文内容などの入力を受付ける点で、図１０に示された処理と異なる。
【００９０】
図１及び図２を再び参照し、まず、注文受付端末１８０について説明する。注文受付端末１８０は、送信部１８１及び制御部１８４を有するコンピュータ装置である。注文受付端末１８０は、さらに、２次元コードリーダー１８２、ＩＣチップリーダー１８３、複数の商品選択ボタン１８５などの情報入力部を有している。
【００９１】
注文受付端末１８０の表面には、購入可能な各商品について、イラスト１９１と、商品説明１９２とが表示されている。各商品のイラスト１９１及び商品説明１９２に対応する位置に、各商品の商品選択ボタン１８５が配置されている。
【００９２】
２次元コードリーダー１８２及びＩＣチップリーダー１８３の構成は、２次元コードリーダー１３２及びＩＣチップリーダー１３３の構成と同様である。注文受付端末１８０は、情報入力部として、複数の商品選択ボタン１８５の他に、２次元コードリーダー１８２及びＩＣチップリーダー１８３の両方を有してもよいし、２次元コードリーダー１８２及びＩＣチップリーダー１８３のいずれか１つのみを有してもよい。
【００９３】
注文受付端末１８０の送信部１８１は、ネットワークを介して注文情報処理装置２００の送受信部２０１に接続されている。注文受付端末１８０は、商品選択ボタン１８５による商品の選択を受付け、且つ、会員２次元コード又は会員ＩＣチップの情報を読取った場合に、その情報を注文情報処理装置２００に送信するように構成されている。
【００９４】
図１２に示された商品注文システムの動作を説明する。
駐輪施設の会員１１０は、以下のようにして、商品を注文することができる。まず、図１０のＳ２００の代わりに、駐輪施設の会員１１０は、注文受付端末１８０の商品選択ボタン１８５を操作することにより、商品を特定する情報を含む注文内容を入力し、且つ、２次元コードリーダー１８２又はＩＣチップリーダー１８３により、会員ＩＤの情報を含む会員２次元コード又は会員ＩＤの情報を含む会員ＩＣチップの情報を入力する。注文受付端末１８０は、商品を特定する情報を含む注文内容の情報と、会員ＩＤの情報とを受付ける（Ｓ２０１）。
【００９５】
次に、図１０のＳ２０２の代わりに、注文受付端末１８０は、注文内容の情報と、当該会員の会員ＩＤの情報とを、注文情報処理装置２００に送信する（Ｓ２０３）。駐輪施設の会員１１０は、以上のようにして、商品を注文することができる。複数の駐車施設（図示せず）のうち、どの駐輪施設の注文受付端末１８０から情報を受信したかによって、注文情報処理装置２００が注文場所（駐輪施設１００）を判定してもよい。
他の点については、図１０に示された処理と同様である。
【００９６】
なお、図１２のＳ２２６においては、ロッカー管理端末２４０の２次元コードリーダー２４２に会員２次元コードをスキャンさせることにより、会員ＩＤが入力されてもよいし、ＩＣチップリーダー２４３に会員ＩＣチップをスキャンさせることにより、会員ＩＤが入力されてもよい。
【００９７】
＜６．その他＞
上述の説明においては、一例として、二輪車１１１をとめるための駐輪施設１００を用いて商品注文システムが構成された場合が示されているが、本発明はこれに限定されない。四輪車（自動車）をとめるための駐車施設を用いて商品注文システムが構成されてもよい。駐車施設には、オフィス棟、マンション棟などに設けられた駐車場だけでなく、駐車タワー棟などの立体駐車場が含まれる。商品２次元コード１２３が表示された商品情報表示部１２０（図１）は、駐車タワー棟の中に配置される場合に限らず、駐車タワー棟の前面に配置されてもよい。
【００９８】
上述の説明においては、一例として、会員１１０が所有する二輪車１１１を駐輪施設１００にとめる場合が示されているが、本発明はこれに限定されない。例えば、駐輪施設又は駐車施設にレンタル用の二輪車又は四輪車が備えられ、当該二輪車又は四輪車を会員１１０が借りるような場合でもよい。
【００９９】
上述の説明においては、一例として、配送業者が商品を配送する場合が示されているが、本発明はこれに限定されない。例えば、スーパーマーケットの駐輪施設又は駐車施設において商品が注文された場合に、当該スーパーマーケットの店員が商品を配送してもよい。
【０１００】
上述の説明においては、商品の注文に応じて商品を販売する場合が示されているが、あわせて、商品の試供品などを無料で提供してもよい。例えば、ロッカー２３０の収容部に試供品を入れておき、商品を注文した会員１１０が、別の商品の試供品をあわせて受取れるようにしてもよい。そのようなロッカーは、商品情報表示部１２０の近くに設置されてもよい。
【０１０１】
上述の説明においては、商品の注文に応じて商品を販売する場合が示されているが、あわせて、店舗のクーポン券などを無料で提供してもよい。例えば、商品情報表示部１２０に、店舗の広告と、当該店舗を特定する情報を含む店舗２次元コードとを表示しておき、当該店舗２次元コードの情報が会員携帯端末３００で読取られて注文情報処理装置２００に送信された場合に、店舗のクーポン券が会員携帯端末３００に返信されるようにしてもよい。
【符号の説明】
【０１０２】
１００…駐輪施設、１０１…仕切り、１０２…駐輪ロック装置、１０３…入場ゲート、１０４…退場ゲート、１０５…ベース、１０６…回転ポール、１０７…バー、１０８…入退場口、１０９…障害ポール、１１０…会員、１１１…二輪車、１１２…前輪、１１３…入場ゲートロック機構、１１４…退場ゲートロック機構、１２０…商品情報表示部、１２１…イラスト、１２２…商品説明、１２３…商品２次元コード、１３０…入口管理端末、１３１…送受信部、１３２…２次元コードリーダー、１３３…ＩＣチップリーダー、１３４…制御部、１４０…出口管理端末、１４１…送受信部、１４２…２次元コードリーダー、１４３…ＩＣチップリーダー、１４４…制御部、１５０…駐輪場情報処理装置、１５１…送受信部、１５２…情報処理部、１６０…駐輪場会員リスト記憶部、１６１…会員ＩＤ、１６２…氏名、１６３…住所、１６４…駐輪場残度数、１６５…携帯電話メールアドレス、１６６…暗証番号、１７０…利用履歴データ記憶部、１７１…入場日時、１７２…駐輪位置、１７３…退場日時、１８０…注文受付端末、１８１…送信部、１８２…２次元コードリーダー、１８３…ＩＣチップリーダー、１８４…制御部、１８５…商品選択ボタン、１９１…イラスト、１９２…商品説明、２００…注文情報処理装置、２０１…送受信部、２０２…情報処理部、２１０…商品注文会員リスト記憶部、２１１…会員ＩＤ、２１２…氏名、２１３…住所、２１４…注文可能ポイント、２１５…携帯電話メールアドレス、２１６…暗証番号、２２０…注文受付データ記憶部、２２１…注文ＩＤ、２２２…注文日時、２２３…商品、２２４…注文場所、２２５…届け先、２２６…会員ＩＤ、２３０…ロッカー、２３１…収容部ロック機構、２４０…ロッカー管理端末、２４１…受信部、２４２…２次元コードリーダー、２４３…ＩＣチップリーダー、２４４…制御部、２５０…ロッカー管理データ記憶部、２５１…ロッカーＮｏ．、２５２…状態、２５３…注文ＩＤ、２５４…会員ＩＤ、３００…会員携帯端末、３１０…基地局システム、４００…配送管理装置、４１０…プリンター、４２０…トラック
【図１】
2014089512.tif 000003
【図２】
2014089512.tif 000004
【図３】
2014089512.tif 000005
【図４】
2014089512.tif 000006
【図５】
2014089512.tif 000007
【図６】
2014089512.tif 000008
【図７】
2014089512.tif 000009
【図８】
2014089512.tif 000010
【図９】
2014089512.tif 000011
【図１０】
2014089512.tif 000012
【図１１】
2014089512.tif 000013
【図１２】
2014089512.tif 000014